(57)【要約】【課題】素人が家庭で容易に束石上に束柱を取り付けて起立させ、床が水平になるように束柱の高さ調整を行うことができる組み立て式デッキを提供する。【解決手段】コンクリート製からなる束石１１上に束柱１２を起立して固定させてなる組み立て式デッキ１０であって、束石１１の上面の中央部に、脱落防止のための屈折部１５が設けられている一方の端部を埋設し実質的に他方の端部を垂直に起立して固定されるアンカーボルト１４を有し、束柱１２の下面の中央部に、アンカーボルト１４が挿通できる穴１６が設けられ、穴１６を塞ぐように取り付けられてアンカーボルト１４で束柱１２を起立できる板状の支持金具１７を有し、しかも、支持金具１７には束柱１２が回転自在にアンカーボルト１４に起立させて高さ調整できるための平面視して中央部に設けられた貫通孔の周縁にアンカーボルト１４と嵌合するナット１８が接合されて有する。【選択図】　　　図２
0003097128.tif 000002
【実用新案登録請求の範囲】
【請求項１】
コンクリート製からなる束石上に束柱を起立して固定させてなる組み立て式デッキであって、
前記束石の上面の中央部に、脱落防止のための屈折部が設けられている一方の端部を埋設し実質的に他方の端部を垂直に起立して固定されるアンカーボルトを有し、前記束柱の下面の中央部に、前記アンカーボルトが挿通できる穴が設けられ、該穴を塞ぐように取り付けられて前記アンカーボルトで前記束柱を起立できる板状の支持金具を有し、しかも、該支持金具には前記束柱が回転自在に前記アンカーボルトに起立させて高さ調整できるための平面視して中央部に設けられた貫通孔の周縁に前記アンカーボルトと嵌合するナットが接合されて有することを特徴とする組み立て式デッキ。
【請求項２】
請求項１記載の組み立て式デッキにおいて、前記束柱の下部と前記束石の上面の間には、前記束柱の下部を包含し端面が前記束石の上面に接して載置される筒体を有することを特徴とする組み立て式デッキ。
【考案の詳細な説明】
【０００１】
【考案の属する技術分野】
本考案は、屋外の庭等に素人であっても精度よく組み立てることができる組み立て式デッキに関する。
【０００２】
【従来の技術】
従来から木やプラスチック等からなるデッキは、例えば、家屋のリビング等の床高さに合わせたり、あるいは、床高さから段差を有したりしてリビング等のドア枠から延長するようにして設けられている。このデッキには、床の高さを必要とする高さにして床全体を水平に維持させることが重要となる。そして、床を水平にするためには、地面に載置される複数個の束石からこの束石上に立設される床を支えるための複数本の束柱のそれぞれの高さを調整する必要がある。
【０００３】
従来、この床を水平に維持するには、束石の複数個を同一レベルに配置するか、それぞれの束柱の下端部をカットして同一レベルに修正していた。しかしながら、多くの束石の全てを同一レベルに配置することは、束石が配置される地面を全て同一な平面にするものであり、この作業は極めて煩雑であり熟練を要するものである。また、束柱の下端部をカットして同一レベルに修正することは、カット不足、カット過多によって手間がかかる上に、カットミスを発生して、束柱が多くなるほどレベル合わせは困難となる。
【０００４】
そこで、束石上にＵ字形状からなる空隙部を有する束柱を載置し、複数の束柱の空隙部に大引を差し込んで水平を確認した後、大引から上部に突出した部分を切除することで水平を出すこと提案されている（例えば、特許文献１参照）。また、束石上に束柱を載置し、複数の束柱の縦方向、あるいは横方向に一列に並んだ各束柱に所定の高さの位置で連結板材を両側面から挟んで仮止めし、起点となる束柱を基準に水平を確認して高さを固定し、連結板材より上部に突出した部分を切除することで水平を出すこと提案されている（例えば、特許文献２参照）。
【０００５】
【特許文献１】
特開平６−２２９０１６号公報
【特許文献２】
特開２００３−６４８５０号公報
【０００６】
【考案が解決しようとする課題】
しかしながら、前述したような従来の組み立て式デッキは、未だ解決すべき次のような問題がある。
（１）束柱の下端部、あるいは上部に突出した部分を切断する方法は、何れも切断を行うことで、高さ調整を行う方法であるので、切断ミスが発生しないようにするための熟練を要し、調整を行うのに時間と手間がかかる。また、調整のために複数の人が必要となったりする。
（２）時間の経過と共に、束石が沈下したり、隆起したりする場合があるが、沈下した場合には、束石の修正から行う必要があり、また、隆起した場合には、再度束柱の修正切断が必要となり、修正調整が容易ではない。
（３）束石上には、束柱を載置するだけであるので、時間の経過と共に、束柱が束石から外れる場合があり、場合によっては床が破壊されることがある。
本考案は、かかる事情に鑑みてなされたものであって、素人が家庭で容易に束石上に束柱を取り付けて起立させ、床が水平になるように束柱の高さ調整を行うことができる組み立て式デッキを提供することを目的とする。
【０００７】
【課題を解決するための手段】
前記目的に沿う本考案に係る組み立て式デッキは、コンクリート製からなる束石上に束柱を起立して固定させてなる組み立て式デッキであって、束石の上面の中央部に、脱落防止のための屈折部が設けられている一方の端部を埋設し実質的に他方の端部を垂直に起立して固定されるアンカーボルトを有し、束柱の下面の中央部に、アンカーボルトが挿通できる穴が設けられ、穴を塞ぐように取り付けられてアンカーボルトで束柱を起立できる板状の支持金具を有し、しかも、支持金具には束柱が回転自在にアンカーボルトに起立させて高さ調整できるための平面視して中央部に設けられた貫通孔の周縁にアンカーボルトと嵌合するナットが接合されて有する。これにより、束柱に取り付けられた支持金具のナットに束石に固定されたアンカーボルトが回転自在に取り付けられ、束柱を回転して束柱の高さ調整を行うことができるので、束柱の切断の必要がなく、素人であっても容易に任意の高さで床が水平となるデッキにすることができる。また、時間の経過と共に、床の水平に狂いが発生しても、束柱を回転させることで、容易に高さ修正を行うことができる。更に、束石と束柱はアンカーボルトと支持金具のナットで接合しているので、束柱の束石からの脱落を防止することができる。
【０００８】
ここで、組み立て式デッキは、束柱の下部と束石の上面の間に、束柱の下部を包含し端面が束石の上面に接して載置される筒体を有するのがよい。これにより、束柱の高さが固定された後、筒体の下端面を束石上に載置させ、筒体の上部で束柱を包含するので、束石上の束柱の起立安定度を向上させることができる。
【０００９】
【考案の実施の形態】
続いて、添付した図面を参照しつつ、本考案を具体化した実施の形態について説明し、本考案の理解に供する。
ここに、図１は本考案の一実施の形態に係る組み立て式デッキの概略斜視図である。図２（Ａ）〜（Ｃ）はそれぞれ同組み立て式デッキの束石と束柱の接合部の説明図、図３（Ａ）〜（Ｅ）はそれぞれ同組み立て式デッキの組み立て実施例の説明図である。
【００１０】
図１に示すように、本考案の一実施の形態に係る組み立て式デッキ１０は、コンクリート製の実質的に四角柱からなる束石１１の上に、強度が強く、腐りにくい木や、強化プラスチック等を用いた束柱１２を起立させて固定し、束柱１２の上に桟（図示せず）等で支える所要枚数の床板１３を敷き詰めて作製され、例えば、家屋のリビング等のドア枠から延長するようにして設けられている。
【００１１】
次いで、図２（Ａ）〜（Ｃ）を参照しながら、組み立て式デッキ１０の束石１１と束柱１２の接合部を説明する。ここで、図２（Ａ）は、束石１１の上面側からの斜視図、図２（Ｂ）は、束柱１２の下面側からの斜視図、図２（Ｃ）は、束石１１に束柱１２を取り付けた状態の上面側からの斜視図である。
図２（Ａ）に示すように、束石１１の上面の中央部には、ステンレスや、防錆の施された金属等の腐りにくい金属からなるアンカーボルト１４を、その一方の端部をコンクリートを固める前に埋設させて有している。このアンカーボルト１４のコンクリート製の束石１１に埋設されて固定される部分である一方の端部には、アンカーボルト１４が束石１１から抜け落ちたり、束石１１の内部で回転しないようにするための屈折部１５を折り曲げて有したり、同じ部材を溶接したりして設けられている。この屈折部１５の形状は、断面視してＬ字形状や、Ｔ字形状、平面視してＸ形状等があるが、特に形状を限定するものではなく、アンカーボルト１４の脱落や、アンカーボルト１４の回転に対して抵抗力が大きい形状のものがよい。アンカーボルト１４の他方の端部は、束石１１の上面から垂直に起立している。
【００１２】
図２（Ｂ）、（Ｃ）に示すように、束柱１２の下面の中央部には、アンカーボルト１４が挿通できる穴１６が束柱１２の下面から垂直方向にドリル等で穿孔して設けられている。そして、束柱１２の下面の中央部には、穴１６を塞ぐようにして、アンカーボルト１４で束柱１２を起立させることができる板状のステンレスや、防錆の施された金属等の腐りにくい金属からなる支持金具１７が取り付けられている。この支持金具１７には、平面視して中央部に設けられた貫通孔の周縁にアンカーボルト１４と嵌合するステンレスや、防錆の施された金属等の腐りにくい金属からなるナット１８が溶接等によって接合されている。束石１１から起立するアンカーボルト１４に支持金具１７に接合されたナット１８を入れることで、束柱１２は、回転自在にアンカーボルト１４に起立させて高さ調整することができる。
【００１３】
束柱１２の下部と、束石１１の上面との間には、ステンレスや、防錆の施された金属等の腐りにくい金属や、プラスチック等からなる筒体１９を有するのがよい。この筒体１９は、束柱１２の下部分の外周を包むようにし、端面が束石１１の上面に接して載置されている。この筒体１９は、アンカーボルト１４によって束柱１２と束石１１との間にできる隙間を隠してゴミ等が入るのを防止することができる。また、例えば、筒体１９の側面から束柱１２にねじ止め等で固定することで、束柱１２の下面全体が束石１１の上面に接する場合と同じようになり、束柱１２の起立安定度を向上させることができる。
【００１４】
【実施例】
次いで、図３（Ａ）〜（Ｅ）を参照しながら、組み立て式デッキ１０の組み立て実施例を説明する。
図３（Ａ）に示すように、予めアンカーボルト１４が埋め込まれたコンクリート製の基準となる束石１１とこれに従属する複数個の束石１１、１１、・・・を地面に載置する位置の位置決めは、例えば、家屋の基礎に対して直角方向と平行方向の格子状に複数個が所定間隔で並べられるように寸法取りして位置決めが行われる。そして、それぞれの束石１１が載置されるところの位置の地面に深さ１０ｃｍ程度の凹みを掘り、基準となる束石１１用の凹みに基準となる束石１１をアンカーボルト１４が起立している面を上面にして載置する。次に、基準となる束石１１上に直角定規２０を家屋に対して直角にして置いて、直角方向と平行方向の隣接する束石１１をその高さを調整しながら凹みにアンカーボルト１４が起立している面を上面にして載置する。この作業は、直角方向と平行方向の隣接するそれぞれの束石１１に対して行う。そして、更に、高さの調整が完了した基準となる束石１１に隣接する束石１１を基準にして次の隣接する束石１１をその高さを調整しながら凹みに載置することを繰り返して、全ての束石１１の高さを揃えている。
【００１５】
次に、図３（Ｂ）に示すように、それぞれの束石１１のアンカーボルト１４には、それぞれの束柱１２に取り付けられている支持金具１７に接合されているナット１８を嵌め込み、ナット１８の先端と束石１１の上面との間隔が５０ｍｍ程度になるように束柱１２を回転させて締め込んでいる。
【００１６】
次に、図３（Ｃ）に示すように、基準となる束石１１に立設する束柱１２の高さを所望する高さに束柱１２を回転させて上下に移動させて設定した後、基準となる束石１１に立設する束柱１２の上面と１又は複数本の束柱１２の上面に跨るように実質的に真直ぐな金属や、木等からなる柱体２１を載置している。更に、この柱体２１の上には、水準器２２を載置している。そして、基準となる束石１１に立設する束柱１２は、上面が柱体２１と接した状態で固定して動かさないで、この束柱１２以外の束柱１２を水準器２２で水平を確認しながら回転させて上下に移動させ、全ての束柱１２が柱体２１に接するようにして、高さを揃えている。
【００１７】
次に、図３（Ｄ）に示すように、束柱１２の上面に載置されていた柱体２１を取り外し、それぞれの束柱１２の上部からそれぞれ筒体１９を差し込んで、それぞれの束石１１の上面まで下げ降ろしている。なお、筒体１９の束柱１２への装填は、束柱１２の上面に柱体２１を載置して束柱１２の高さを揃える前に行ってもよい。また、筒体１９は、下端面を束石１１の上面に接した状態で、側面から束柱１２にねじ止め等で固定してもよい。
【００１８】
次に、図３（Ｅ）に示すように、全ての上面が水平となり、高さの揃った束柱１２には、各種の施工方法によって、例えば、束柱１２どうしをつなぎ止める柱継ぎ（図示せず）等が取り付けられ個々の束石１１及び束柱１２が移動するのを防止している。そして、束柱１２の上面には、床板１３が取り付けられ、組み立て式デッキ１０として機能させている。なお、この組み立て式デッキ１０には、図示しないが、床板１３の外周部で立脚する柱に取り付けられた手摺りや、地面から昇降できる階段等が設けられることがある。
【００１９】
【考案の効果】
請求項１及びこれに従属する請求項２記載の組み立て式デッキは、コンクリート製からなる束石上に束柱を起立して固定させてなる組み立て式デッキであって、束石の上面の中央部に、脱落防止のための屈折部が設けられている一方の端部を埋設し実質的に他方の端部を垂直に起立して固定されるアンカーボルトを有し、束柱の下面の中央部に、アンカーボルトが挿通できる穴が設けられ、穴を塞ぐように取り付けられてアンカーボルトで束柱を起立できる板状の支持金具を有し、しかも、支持金具には束柱が回転自在にアンカーボルトに起立させて高さ調整できるための平面視して中央部に設けられた貫通孔の周縁にアンカーボルトと嵌合するナットが接合されて有するので、支持金具のナットにアンカーボルトが回転自在に取り付けられ、束柱を回転して束柱の高さ調整を行うことができ、束柱の切断の必要がなく、素人であっても容易に任意の高さで床が水平となるデッキにすることができる。また、床の水平に狂いが発生しても、床板を持ち上げて束柱を回転させることで、容易に高さ修正を行うことができる。更に、束石と束柱はアンカーボルトと支持金具のナットで接合しており、束柱の束石からの脱落を防止することができる。
【００２０】
特に、請求項２記載の組み立て式デッキは、束柱の下部と束石の上面の間には、束柱の下部を包含し端面が束石の上面に接して載置される筒体を有するので、アンカーボルトによってできる束柱と束石との間の隙間にゴミ等が浸入するのを防止することができる。また、束柱の高さが固定された後、筒体の下端面を束石上に載置させ、筒体の上部で束柱を包含することで、束石上の束柱の起立安定度を向上させることができる。
【図面の簡単な説明】
【図１】本考案の一実施の形態に係る組み立て式デッキの概略斜視図である。
【図２】（Ａ）〜（Ｃ）はそれぞれ同組み立て式デッキの束石と束柱の接合部の説明図である。
【図３】（Ａ）〜（Ｅ）はそれぞれ同組み立て式デッキの組み立て実施例の説明図である。
【符号の説明】
１０：組み立て式デッキ、１１：束石、１２：束柱、１３：床板、１４：アンカーボルト、１５：屈折部、１６：穴、１７：支持金具、１８：ナット、１９：筒体、２０：直角定規、２１：柱体、２２：水準器
【図１】
0003097128.tif 000003
【図２】
0003097128.tif 000004
【図３】
0003097128.tif 000005